(57)【要約】      （修正有）【課題】マスクに簡易に取り付け、取り外しすることができ、さらに、マスク紐が耳の上側および下側にも当たらないようにマスクを使用することができる、マスク用係止具およびマスク布固定キットを提供する。【解決手段】右側のマスク紐に係止する第１係止部１１と、左側のマスク紐に係止する第２係止部１２と、を有する、マスク用係止具１０であって、第１係止部１１および第２係止部１２は、それぞれ、中央側に向かって広がる略Ｖ字状の切り欠き１１１、１２１と、切り欠き１１１、１２１から端部側に向けて切り込まれた切り込み１１２、１２２と、切り込み１１２、１２２を介して上下方向に隣接する一対の挟持部１１４、１１５、１２４、１２５と、を有し、マスクの紐を一対の挟持部１１４、１１５、１２４、１２５により挟持することが可能となっている。【選択図】図１
0003227231.tif 000002
【実用新案登録請求の範囲】
【請求項１】
右側のマスク紐に係止する第１係止部と、
左側のマスク紐に係止する第２係止部と、を有する、マスク用係止具であって、
前記第１係止部および前記第２係止部は、それぞれ、
中央側に向かって広がる略Ｖ字状の切り欠きと、
前記切り欠きから端部側に向けて切り込まれた切り込みと、
前記切り込みを介して上下方向に隣接する一対の挟持部と、を有し、
マスクの紐を前記一対の挟持部により挟持することが可能となっている、マスク用係止具。
【請求項２】
前記切り込みは、端部側において切り込み方向が反転する、円弧状の切り返し部を有し、
前記切り返し部の長さは、当該切り返し部の円弧の円の半周を超えない長さである、請求項１に記載のマスク用係止具。
【請求項３】
ポリプロピレン樹脂から構成される、請求項１または２に記載のマスク用係止具。
【請求項４】
全体の厚さが１．０ｍｍ以下である、請求項１ないし３のいずれかに記載のマスク用係止具。
【請求項５】
左右線対称である、請求項１ないし４のいずれかに記載のマスク用係止具。
【請求項６】
鼻および口を覆うマスク布を顔に固定するためのキットであって、
左右の頬にマスク布の上方部を固定するシール部材と、
請求項１ないし５のいずれかに記載のマスク用係止具を備えてなるマスク布固定キット。  
【請求項７】
鼻および口を覆うマスク布を顔に固定するためのキットであって、
左右の頬にマスク布の上方部を固定するシール部材と、
マスク布から左右に延出される一対の紐を係止するネックホルダーを備えてなるマスク布固定キット。
【請求項８】
前記シール部材に絵柄が付されている請求項６または７のマスク布固定キット。
【請求項９】
前記シール部材が、両面テープからなる請求項６または７のマスク布固定キット。
【考案の詳細な説明】
【技術分野】
【０００１】
本考案は、マスクを装着する使用者の後頭部側において、マスクの左右両紐を係止することで、マスクの紐が耳に当たり使用者の耳を痛めてしまうことを防止することができるマスク用係止具およびマスク布固定に関する。
【背景技術】
【０００２】
従来、マスクを長時間装着する場合のマスク紐による耳の痛みを解消するために、マスクの両紐に係止することで、マスク紐が耳の裏側に当たらないようにするマスク用係止具が知られている（たとえば、特許文献１，２）。
【先行技術文献】
【特許文献】
【０００３】
【特許文献１】特開２０１６−８３２５０号公報
【特許文献２】特開平１０−２０１８６６号公報
【考案の概要】
【考案が解決しようとする課題】
【０００４】
しかしながら、特許文献１に記載のマスク用係止具では、マスク用係止具をマスク紐に取り付ける場合に引掛かり部分を係合孔に係合させる構成のため、マスク用係止具をマスク紐に取り付けることや、マスク用係止具をマスク紐から取り外すことが困難な場合があった。また、特許文献２に記載の弾性薄板片では、端部の切り込みにマスク紐を係止させる構成であるが、切込みにマスクを差し込むのが困難な場合があった。
さらに、マスクを耳の裏側だけではなく、耳の上側および下側にもマスク紐が当てたくないとのニーズがある。しかしながら、耳の上側および下側にもマスク紐が当たらないようするためには、環状となっているマスク紐を切り、マスク紐を耳から離れた位置で係止する必要がある。しかしながら、特許文献１，２に係る発明では、マスク紐が環状の場合にのみ、マスク紐を保持することが可能な構造であるため、マスク紐を切って使用することができず、耳の上側および下側にもマスク紐が当たらないようすることができないという問題があった。
【０００５】
本考案の目的は、マスクに簡易に取り付け、取り外しすることができ、さらに、マスクの紐が耳の上側および下側にも当たらないようにマスクを使用することができる、マスク用係止具およびマスク布固定キットを提供することである。
【課題を解決するための手段】
【０００６】
本考案に係るマスク用係止具は、右側のマスク紐に係止する第１係止部と、左側のマスク紐に係止する第２係止部と、を有する、マスク用係止具であって、前記第１係止部および前記第２係止部は、それぞれ、中央側に向かって広がる切り欠きと、前記切り欠きから端部側に向けて切り込まれた切り込みと、前記切り込みを介して上下方向に隣接する一対の挟持部と、を有し、マスクの紐を前記一対の挟持部により挟持することが可能となっている。
上記マスク用係止具において、前記切り込みは、端部側において切り込み方向が反転する、円弧上の切り返し部を有し、前記切り返し部の長さは、当該切り返し部の円弧の円の半周を超えない長さである構成とすることができる。
上記マスク用係止具において、ポリプロピレン樹脂から構成される構成とすることができる。
上記マスク用係止具において、全体の厚さが１．０ｍｍ以下である構成とすることができる。
上記マスク用係止具において、左右線対称である構成とすることができる。
【０００７】
本発明の第１の観点に係るマスク布固定キットは、鼻および口を覆うマスク布を顔に固定するためのキットであって、左右の頬にマスク布の上方部を固定するシール部材と、上記マスク用係止具を備えてなる。
本発明の第２の観点に係るマスク布固定キットは、鼻および口を覆うマスク布を顔に固定するためのキットであって、左右の頬にマスク布の上方部を固定するシール部材と、マスク布から左右に延出される一対の紐を係止するネックホルダーを備えてなる。
上記マスク布固定キットにおいて、前記シール部材に絵柄が付されている構成とすることができる。
上記マスク布固定キットにおいて、前記シール部材が、両面テープからなる構成とすることができる。
【考案の効果】
【０００８】
本考案によれば、マスクに簡易に取り付け、取り外しすることができ、さらに、マスクの紐が耳の上側および下側にも当たらないようにマスクを使用することができる。
【図面の簡単な説明】
【０００９】
【図１】本実施形態に係るマスク用係止具を示す図である。
【図２】第１係止部の拡大図である。
【図３】本実施形態に係るマスク用係止具の使用方法を説明するための図である。
【図４】本実施形態に係るマスク布固定キットを説明するための図である。
【図５】本実施形態に係るマスク布固定キットの使用方法を説明するための図である。
【図６】他の実施形態に係るマスク用係止具の使用方法を説明するための図である。
【考案を実施するための形態】
【００１０】
本考案に係るマスク用係止具およびマスク布固定キットを、図面に基づいて説明する。なお、本考案においては、使用者が本考案に係るマスク用係止具を使用した場合に、使用者の顔の上側（頭部側）から下側（顎側）へ向かう方向（または下側から上側へ向かう方向）を上下方向、使用者の顔の右側から左側へ向かう方向（または左側から右側へと向かう方向）を左右方向として説明する。
【００１１】
（マスク用係止具）
図１は、本実施形態に係るマスク用係止具１０を示す図であり、図２は、マスク用係止具１０の第１係止部１１の拡大図である。また、図３は、本実施形態に係るマスク用係止具１０の使用方法を説明するための図である。本実施形態に係るマスク用係止具１０は、図３に示すように、マスク２と組み合わせて使用されるものであり、マスク２の右紐２１および左紐２２に係止することで、マスク紐２１，２２による使用者の耳への負担や痛みを軽減するものである。
【００１２】
本実施形態に係るマスク用係止具１０は、図１に示すように、右側端部に形成された第１係止部１１と、左側端部に形成された第２係止部１２と、中央部１３とを有する。また、本実施形態に係るマスク用係止具１０は、図１に示すように、左右線対称となっているが、第１係止部１１および第２係止部１２を有するものであれば、形状はこれに限定されない。さらに、本実施形態に係るマスク用係止具１０は、比較的薄いシート状の部材であり、平らな構造となっている。また、本実施形態に係るマスク用係止具１の素材は、特に限定されないが、ポリプロピレン樹脂などの樹脂素材から構成することが好ましい。また、マスク用係止具１の厚さも、特に限定されないが、１．０ｍｍ以下とすることが好ましく、０．２〜０．８ｍｍの範囲がより好ましく、０．４〜０．６ｍｍの範囲とすることがさらに好ましい。
【００１３】
第１係止部１１は、図１および図２に示すように、切り欠き１１１と、切り込み１１２と、挟持部１１４，１１５とを有する。切り欠き１１１は、図１および図２に示すように、中央側に向かって広がる略Ｖ字状となっている。また、第１係止部１１では、略Ｖ字状の切り欠き１１１の底部１１１０から連続して切り込み１１２が形成されている。このように、切り欠き１１１を略Ｖ字状に形成することで、マスク２の右紐２１を、切り込み１１２へと案内することができる。
【００１４】
本実施形態において、切り込み１１２では、図１および図２に示すように、切り欠き１１１の底部１１１０（Ｖ字の底）から、端部側に向けて切り込みが形成されている。また、切り込み１１２は、端部側において、切り込み方向が反転する、円弧状の切り返し部１１３を有している。これにより、マスク２の右紐２１は、切り欠き１１１から切り込み１１２へと案内され、切り込み１１２に沿って端部側へとスライドし、切り返し部１１３において保持される。
【００１５】
切り返し部１１３は、図２に示すように、円弧状になっている。切り返し部１１３の長さは、限定されないが、切り返し部１１３の円弧と重なる円を図２に示すように円Ｃとした場合に、切り返し部１１３が円Ｃの半周Ｌを超えない長さとすることが好ましい（切り返し部１１３の円弧の円の半周を超えない長さとすることが好ましい）。これにより、使用者がマスク２を取り外す場合に、使用者の頭の後ろ側において、切り返し部１１３において保持されたマスク紐２１，２２を一人で外す場合も、マスク紐２１，２２が切り返し部１１３に引っ掛かってしまい、マスク紐２１，２２が取り外しにくくなることを抑制することができる。
【００１６】
第１係止部１１は、切り込み１１２により分断された上下一対の挟持部１１４，１１５を有する。上下一対の挟持部１１４，１１５は、図１および図２に示すように、切り込み１１２を介して上下方向において隣接しており、上側の挟持部１１４の下縁部１１４０と、下側の挟持部１１５の上縁部１１５０とでマスク２の右紐２１を挟持する。これにより、マスク２の右紐２１を、切り込み１１２の切り返し部１１３とともに、一対の挟持部１１４，１１５で強固に係止することができる。
【００１７】
第２係止部１２は、第１係止部１１と同様に、中央側に広がる略Ｖ字状の切り欠き１２１と、切り欠き１２１の底部１２１０から端部側に向けて切り込まれた切り込み１２２と、切り込み１２２を介して上下方向に隣接する一対の挟持部１２４，１２５とを有し、切り込み１２２は端部側に切り込み方向が反転した切り返し部１２３を有する。これにより、第２係止部１２では、第１係止部１１と同様に、マスク２の左紐２２を、切り欠き１２１から切り込み１２２へと案内することができ、切り込み１２２に沿って端部側へとスライドさせることで、マスク２の左紐２２を、切り返し部１２３とともに一対の挟持部１２４，１２５で強固に係止することができる。なお、第２係止部１２においても、第１係止部１１と同様に、切り返し部１２３の長さは、特に限定されないが、円弧状の切り返し部１２３と重なる円の半周を超えない長さとすることが好ましい。
【００１８】
（マスク用係止具の使用方法）
マスク用係止具１０を使用する場合、図３に示すように、まず、マスク２の右紐２１または左紐２２に、第１係止部１１または第２係止部１２を係止させる。具体的には、マスク２の紐２１，２２を切り欠き１１１，１２１から切り込み１１２，１２２へと案内し、切り込み１１２，１２２に沿って端部側へとスライドさせ、切り返し部１１３，１２３および一対の挟持部１１４，１１５，１２４，１２５で挟持する。そして、マスク２を装着した状態で、使用者の後頭部側において、もう一方のマスク２の紐２１，２２をもう一方の係止部１１，１２に係止する。
【００１９】
これにより、図３に示すように、マスク用係止具１０により、マスク２の両紐２１，２２を使用者の後ろ側に引っ張ることができ、マスク２の紐２１，２２が使用者の耳の裏側に当たることを防ぐことができる。また、第１係止部１１および第２係止部１２で挟持するマスク２の紐２１，２２の位置（紐２１，２２の長さ方向の位置）を変えることで、マスク２の大きさに合わせてマスク２の紐２１，２２を後ろ側に引っ張ることができる。なお、本実施形態に係るマスク用係止具１０では、中央側が広がる略Ｖ字状の切り込み１１２，１２２を有しているため、マスク２の紐２１，２２を切り込み１１２，１２２に案内することができ、第１係止部１１および第２係止部１２にマスク２の紐２１，２２を比較的容易に係止させることができる。
【００２０】
（マスク用係止具の製造方法）
次に、本実施形態に係るマスク用係止具１０の製造方法について説明する。まず、ポリプロピレン樹脂シート（たとえば厚さ０．５ｍｍ）を準備する。そして、本実施形態に係るマスク用係止具１０の金型を用いて、当該シートからマスク用係止具１０を切り出す。本実施形態に係るマスク用係止具１０は、単一の部材により構成されるため（複数の部材を組み合わせるものではないため）、一度の打ち抜き工程だけで製造することができ、簡易かつ低コストで製造することができる。また、本実施形態に係るマスク用係止具１０は、ポリプロピレン樹脂から構成されるシート状の部材であり、平らな構造となっている。そのため、金型を準備するだけで、クリアファイルを製造するための既存の設備においても容易に製造することが可能となる。
【００２１】
なお、マスク用係止具１０の大きさおよび長さは、特に限定されない。たとえば、子ども向き、女性向き、男性向きなどの各種サイズのマスク用係止具１０を作成することができる。また、本実施形態に係るマスク用係止具１０は、印刷により、または、凹凸を形成することで、ロゴや文字などを付与する構成とすることもできる。この場合、マスク用係止具１０をノベルティとして提供することが可能となる。
【００２２】
（マスク布固定キット）
次に、本実施形態に係るマスク布固定キット１について説明する。図４は、本実施形態に係るマスク布固定キット１を説明するための図である。本実施形態に係るマスク布固定キット１は、図４に示すように、上述したマスク用係止具１０と、マスク２を顔に固定するためのシール部材２０とを有する。  
【００２３】
ここで、図３に示す例では、マスク２の紐２１，２２を環状のまま、マスク用係止具１０をマスクの紐２１，２２に係止させる構成を説明した。この場合、使用者の耳の裏側にはマスク２の紐２１，２２は当たらないが、使用者の耳の上側または下側にマスク２の紐２１，２２が当たってしまう場合がある。これに対して、本実施形態に係るマスク布固定キット１は、以下のように使用することができるため、使用者の耳の上側および下側にマスク２の紐２１，２２が当たってしまうことも防止するものである。
【００２４】
（マスク布固定キットの使用方法）
以下において、図３に示すように、マスク２の紐２１，２２が環状であるものを用いて説明する。図５は、本実施形態に係るマスク布固定キット１の使用方法を説明するための図である。まず、図５に示すように、マスク２の紐２１，２２のうちマスク布から導出する上側導出部分をハサミなどで切断する。そして、使用者の後頭部側において、切断した右紐２１または左紐２２を、第１係止部１１または第２係止部１２で係止する。そして、マスク２の紐２１，２２が耳に当たらないように、マスク２の紐２１，２２を耳から離した下側の位置で係止させる。この際、第１係止部１１および第２係止部１２でマスク２の紐２１，２２の長さを調整することができる。
【００２５】
マスク２の紐２１，２２の上側導出部を切断し、切断した紐２１，２２を後頭部下側において係止させた場合、マスク布２３の上側が使用者の顔から離れ、浮いた状態となる場合がある。そこで、本実施形態に係るマスク布固定キット１では、図４に示すように、マスク布２３と使用者の顔とを跨ぐように、シール部材２０を貼ることで、マスク布２３を使用者の顔に固定することができる。
【００２６】
なお、図４に示す例では、マスク２の紐２１，２２の上側導出部を切断し、マスク２の紐２１，２２を、使用者の耳よりも下側に離した状態で、マスク用係止具１０で係止する構成を例示したが、この構成に限定されず、マスク２の紐２１，２２の下側導出部を切断し、マスク２の紐２１，２２が耳に当たらないように、マスク２の紐２１，２２を使用者の耳よりも上側に離した状態で、マスク用係止具１０で係止する構成としてもよい。この場合、マスク布２３の下側が使用者の顔から離れ、浮いた状態となる場合があるため、マスク布２３の下側にシール部材２０を貼ることで、マスク布２３を使用者の顔に固定することができる。
【００２７】
（シール部材）
本実施形態に係るシール部材２０は、図４に示すように、マスク布２３および使用者の顔に貼ることができ、マスク布２３を使用者の顔に固定できるものであれば、特に限定されないが、皮膚貼付用シールであることが好ましい。図４では、一対のシール部材２０により、マスク布２３の上部両端を固定しているが、細長いシール部材によりマスク布２３の上辺を固定してもよい。このようなシール部材２０としては、市販のサージカルテープやフェイスペンティングシールと同様の構成のシールを用いることができる。シール部材２０を両面テープにより構成してもよく、この場合、マスク布の裏側（皮膚側）にシール部材２０を隠れるように貼付することができる。本実施形態では、シール部材２０として、皮膚貼付用アクリル系粘着層（下層）の上に、ポリエチレンフィルム（上層）を積層したものを用いている。なお、シール部材２０の形状は特に限定されず、キャラクターの形などとすることもできる。また、シール部材２０は、マスク用係止具１０と同様に、印刷によりロゴや文字などを付与する構成とし、ノベルティとして提供することも可能である。
【００２８】
以上のように、本実施形態に係るマスク用係止具１０は、中央側に向かって広がる略Ｖ字状の切り欠き１１１，１２１と、切り欠き１１１，１２１から端部側に向けて切り込まれた切り込み１１２，１２２と、切り込み１１２，１２２を介して上下方向に隣接する一対の挟持部１１４，１１５，１２４，１２５とを有しており、マスク２の紐２１，２２を切り欠き１１１，１２１から切り込み１１２，１２２へと案内し、切り込み１１２，１２２に沿って端部側へとスライドすることで、マスク２の紐２１，２２を切り返し部１１３，１２３および一対の挟持部１１４，１１５，１２４，１２５で挟持することができる。これにより、マスク２の紐２１，２２を後ろ方向に引っ張ることができ、マスク２の紐２１，２２が耳の裏側に当たり使用者に痛みを与えてしまうことを有効に防止することができる。また、本実施形態に係るマスク用係止具１０では、中央側に向かって広がる略Ｖ字状の切り欠き１１１，１２１を有するため、マスク２の紐２１，２２を切り欠き１１１，１２１から切り込み１１２，１２２へと容易に挿し込むことができ、第１係止部１１および第２係止部１２にマスク２の紐２１，２２を比較的容易に係止させることができる。さらに、本実施形態に係るマスク用係止具１０では、切り返し部１１３，１２３の長さを、切り返し部１１３，１２３の円弧の円の半周を超えない長さとすることで、使用者が頭の後ろ側でマスク２を取り外す場合においても、マスク紐２１，２２が取れにくくなることを抑制することができる。加えて、第１係止部１１および第２係止部１２では、マスク２の紐２１，２２の位置（紐２１，２２の長さ方向の位置）を自在に変えてマスク２の紐２１，２２を挟むことができ、マスク２の大きさに合わせてマスク２の紐２１，２２を後ろ側に引っ張ることができる。
【００２９】
さらに、本実施形態に係るマスク布固定キット１では、図４に示すように、マスク２の紐２１，２２を切断した状態で、マスク２の紐２１，２２をマスク用係止具１０で係止することができるため、マスク２の紐２１，２２を使用者の耳の上側および下側に当たらない状態とすることができる。また、この場合、マスク布２３の上側が使用者の顔から離れてしまい浮いてしまう場合もあるが、マスク布固定キット１に含まれるシール部材２０を、マスク布２３と使用者の顔とを跨ぐように貼ることで、マスク布２３を使用者の顔に固定することができる。
【００３０】
以上、本考案の好ましい実施形態例について説明したが、本考案の技術的範囲は上記実施形態の記載に限定されるものではない。上記実施形態例には様々な変更・改良を加えることが可能であり、そのような変更または改良を加えた形態のものも本考案の技術的範囲に含まれる。
【００３１】
たとえば、上述した実施形態では、マスク２の両紐２１，２２が使用者の耳の上側および下側にも当たらないようにするため、シール部材２０を有するマスク布固定キット１を用いる構成を例示したが、この構成に限定されず、たとえば、本実施形態に係るマスク用係止具１０を２つ用いる構成とすることができる。たとえば、マスク２の両紐２１，２２をそれぞれ中央位置で切り、図６に示すように、切断された上側の紐２１，２２と下側の紐２１，２２とをそれぞれ別のマスク用係止具１０で、使用者の耳から離れた位置で係止することで、マスク紐２１，２２による使用者の耳の痛みを防止することができる。なお、この場合、上側の紐２１，２２を係止するマスク用係止具１０を、下側の紐２１，２２をマスク用係止具１０よりも長手方向に長くすることが好ましい。
【符号の説明】
【００３２】
１…マスク布固定キット
１０…マスク用係止具
１１…第１係止部
１１１…切り欠き
１１２…切り込み
１１３…切り返し部
１１４，１１５…挟持部
１２…第２係止部
１２１…切り欠き
１２２…切り込み
１２３…切り返し部
１２４，１２５…挟持部
１３…中央部
２０…シール部材
２…マスク
２１…右紐
２２…左紐
２３…マスク布
【図１】
0003227231.tif 000003
【図２】
0003227231.tif 000004
【図３】
0003227231.tif 000005
【図４】
0003227231.tif 000006
【図５】
0003227231.tif 000007
【図６】
0003227231.tif 000008